(57)【特許請求の範囲】
【請求項１】
電気的に表示対象データの表示および消去が可能な表示装置と着脱可能であって、前記表示装置への前記表示対象データの表示を制御する制御装置において、
前記表示装置が取り付けられ、その取り付けられた前記表示装置を伸縮させることにより自身に作用する圧力を検出する圧力センサと、
前記圧力センサによって検出された圧力に基づいて、前記表示装置に表示されている前記表示対象データの表示倍率を決定する制御手段と、
前記制御手段によって決定された表示倍率で前記表示対象データを、前記表示装置に表示する制御を行う表示制御手段と、
を備え、
前記制御手段は、前記表示装置が伸張されることにより前記圧力センサに作用する圧力が当該圧力センサで検出された場合に、前記表示装置に表示されている前記表示対象データの表示内容を拡大して表示する決定を行い、前記表示装置が圧縮されることにより前記圧力センサに作用する圧力が当該圧力センサで検出された場合に、前記表示装置に表示されている前記表示対象データの表示内容を縮小して表示する決定を行うこと、
を特徴とする制御装置。 
【請求項２】
電気的に表示対象データの表示および消去が可能な表示装置と、該表示装置と着脱可能であって、前記表示装置への前記表示対象データの表示を制御する制御装置とを備えた情報処理装置であって、
前記表示装置は、
前記表示対象データを表示する湾曲可能な表示部を備え、
前記制御装置は、
前記表示装置が取り付けられ、その取り付けられた前記表示装置を伸縮させることにより自身に作用する圧力を検出する圧力センサと、
前記圧力センサによって検出された圧力に基づいて、前記表示部に表示されている前記表示対象データの表示倍率を決定する制御手段と、
前記制御手段によって決定された表示倍率で前記表示対象データを、前記表示部に表示する制御を行う表示制御手段と、
を備え、
前記制御手段は、前記表示装置が伸張されることにより前記圧力センサに作用する圧力が当該圧力センサで検出された場合に、前記表示装置に表示されている前記表示対象データの表示内容を拡大して表示する決定を行い、前記表示装置が圧縮されることにより前記圧力センサに作用する圧力が当該圧力センサで検出された場合に、前記表示装置に表示されている前記表示対象データの表示内容を縮小して表示する決定を行うこと、
を特徴とする情報処理装置。 
【請求項３】
電気的に表示対象データの表示および消去が可能な表示装置と着脱可能であり、前記表示装置への前記表示対象データの表示を制御する制御装置の表示制御方法であって、
前記表示装置が取り付けられ、その取り付けられた前記表示装置を伸縮させることにより自身に作用する圧力を検出する圧力センサにより検出された圧力に基づいて、前記表示装置に表示されている表示対象データの表示倍率を決定する制御ステップと、
前記制御ステップによって決定された表示倍率で前記表示対象データを、前記表示装置に表示する制御を行う表示制御ステップと、
を含み、
前記制御ステップでは、前記表示装置が伸張されることにより前記圧力センサに作用する圧力が当該圧力センサで検出された場合に、前記表示装置に表示されている前記表示対象データの表示内容を拡大して表示する決定を行い、前記表示装置が圧縮されることにより前記圧力センサに作用する圧力が当該圧力センサで検出された場合に、前記表示装置に表示されている前記表示対象データの表示内容を縮小して表示する決定を行う、
ことを特徴とする表示制御方法。
【請求項４】
請求項３に記載された表示制御方法を、コンピュータに実行させること、
を特徴とするプログラム。
【発明の詳細な説明】
【技術分野】
【０００１】
本発明は、データを表示する情報処理装置及び表示制御方法、表示制御プログラムに関するものであり、特に、簡易な操作によって表示されるデータの表示動作を決定する表示装置、制御装置、情報処理装置及び表示制御方法、表示制御プログラムに関するものである。
【背景技術】
【０００２】
従来、情報処理装置に表示されているデータの表示倍率の変更や、表示データの内容の切り替え等の制御を行う場合、マウス等のポインティングデバイスを操作することによって、画面上の位置を示すポインタを、コマンドの選択内容や機能が表示されたスクロールバーやアイコンの位置まで移動させて行うことが一般に知られている。
【０００３】
また、携帯情報処理装置において、装置本体を傾けることにより、あるいは水平に移動することにより、加速度を検知し、その加速度に応じて画面上のポインタの表示位置を移動させる技術が公開されている（例えば、特許文献１参照）。
【０００４】
【特許文献１】特開２０００−１８１６１９号公報
【発明の開示】
【発明が解決しようとする課題】
【０００５】
しかし、従来の技術では、上述したような制御を行う都度、ポインタを所要のスクロールバーやアイコンの位置に移動させるためのマウス等の操作を行わなければならないため、その操作が煩わしい場合がある。また、マウス等を使用する際には、一定の空間を要するため、携帯用の装置においては、その使用場所が制限されるという問題があった。
【０００６】
また、特許文献１による技術では、マウス等によるポインタの移動操作の代替手段として使用され、ポインタを移動させてから、表示倍率の変更や、表示データの内容の切り替え等の制御を行うため、操作効率が悪いという問題があった。
【０００７】
本発明は、上記に鑑みてなされたものであって、情報処理装置を保持している状態で、装置本体から直接操作を行うことによって、簡易な操作で、表示されるデータの表示動作を決定できる表示装置、制御装置、情報処理装置及び表示制御方法、表示制御プログラムを得ることを目的とする。
【課題を解決するための手段】
【０００８】
上述した課題を解決し、目的を達成するために、請求項１にかかる発明は、電気的に表示対象データの表示および消去が可能な表示装置と着脱可能であって、前記表示装置への前記表示対象データの表示を制御する制御装置において、前記表示装置が取り付けられ、その取り付けられた前記表示装置を伸縮させることにより自身に作用する圧力を検出する圧力センサと、前記圧力センサによって検出された圧力に基づいて、前記表示装置に表示されている前記表示対象データの表示倍率を決定する制御手段と、前記制御手段によって決定された表示倍率で前記表示対象データを、前記表示装置に表示する制御を行う表示制御手段と、を備え、前記制御手段は、前記表示装置が伸張されることにより前記圧力センサに作用する圧力が当該圧力センサで検出された場合に、前記表示装置に表示されている前記表示対象データの表示内容を拡大して表示する決定を行い、前記表示装置が圧縮されることにより前記圧力センサに作用する圧力が当該圧力センサで検出された場合に、前記表示装置に表示されている前記表示対象データの表示内容を縮小して表示する決定を行うこと、を特徴とする。
【００２６】
また、請求項２にかかる発明は、電気的に表示対象データの表示および消去が可能な表示装置と、該表示装置と着脱可能であって、前記表示装置への前記表示対象データの表示を制御する制御装置とを備えた情報処理装置であって、前記表示装置は、前記表示対象データを表示する湾曲可能な表示部を備え、前記制御装置は、前記表示装置が取り付けられ、その取り付けられた前記表示装置を伸縮させることにより自身に作用する圧力を検出する圧力センサと、前記圧力センサによって検出された圧力に基づいて、前記表示部に表示されている前記表示対象データの表示倍率を決定する制御手段と、前記制御手段によって決定された表示倍率で前記表示対象データを、前記表示部に表示する制御を行う表示制御手段と、を備え、前記制御手段は、前記表示装置が伸張されることにより前記圧力センサに作用する圧力が当該圧力センサで検出された場合に、前記表示装置に表示されている前記表示対象データの表示内容を拡大して表示する決定を行い、前記表示装置が圧縮されることにより前記圧力センサに作用する圧力が当該圧力センサで検出された場合に、前記表示装置に表示されている前記表示対象データの表示内容を縮小して表示する決定を行うことを特徴とする。
【００２９】
また、請求項３にかかる発明は、電気的に表示対象データの表示および消去が可能な表示装置と着脱可能であり、前記表示装置への前記表示対象データの表示を制御する制御装置の表示制御方法であって、前記表示装置が取り付けられ、その取り付けられた前記表示装置を伸縮させることにより自身に作用する圧力を検出する圧力センサに作用する圧力に基づいて、前記表示装置に表示されている表示対象データの表示倍率を決定する制御ステップと、前記制御ステップによって決定された表示倍率で前記表示対象データを、前記表示装置に表示する制御を行う表示制御ステップと、を含み、前記制御ステップでは、前記表示装置が伸張されることにより前記圧力センサに作用する圧力が当該圧力センサで検出された場合に、前記表示装置に表示されている前記表示対象データの表示内容を拡大して表示する決定を行い、前記表示装置が圧縮されることにより前記圧力センサに作用する圧力が当該圧力センサで検出された場合に、前記表示装置に表示されている前記表示対象データの表示内容を縮小して表示する決定を行うことを特徴とする。
【００３０】
また、請求項４にかかる発明は、請求項３に記載された表示制御方法を、コンピュータに実行させること、を特徴とする。
【発明の効果】
【００３１】
本発明によれば、制御装置は、表示装置が取り付けられ、その取り付けられた表示装置を伸縮させることにより自身に作用する圧力を検出する圧力センサを備え、表示装置が伸張されることにより圧力センサに作用する圧力が当該圧力センサで検出された場合に、表示装置に表示されている表示対象データの表示内容を拡大して表示し、表示装置が圧縮されることにより圧力センサに作用する圧力が当該圧力センサで検出された場合に、表示対象データの表示内容を縮小して表示するので、表示対象データを拡大表示または縮小表示させるときに、その表示内容が歪んで見えることを抑制できるとともに、表示装置の一層の薄型化を図ることが可能になるという効果を奏する。
【発明を実施するための最良の形態】
【００５４】
以下に添付図面を参照して、本発明にかかる表示装置、制御装置、情報処理装置及び表示制御方法、表示制御プログラムの最良な実施の形態を詳細に説明する。
【００５５】
（第１の実施の形態）
図１は、第１の実施の形態にかかる情報処理装置１００の構成を示す模式図である。また、図２は、図１の状態における本実施の形態にかかる情報処理装置１００の側面図である。
【００５６】
図１で示すように、本実施の形態にかかる情報処理装置１００は、電子ペーパー１２０および制御装置１１０によって構成されている。電子ペーパー１２０は、１０分の数ミリ程度の厚さで、電気的な手段でデータの表示および消去が可能なディスプレイである。また、電子ペーパー１２０は、紙媒体に印刷するハードコピーが有する「見易さ、持ち運び易さ」に加え、ディスプレイ画面に写し出すソフトコピーが有する「デジタル情報との結合・書き換え性」や省紙資源を実現するものと期待されている反射型表示媒体であり、従来の画像表示装置にはない極薄、柔軟性という特性がある。制御装置１１０は、電子ペーパー１２０の画面に表示されている表示対象データの表示倍率の変更等の制御を行うものであり、本体部１１１と、取付部１１２とで主に構成されている。
【００５７】
取付部１１２は、電子ペーパー１２０を装着するものである。図２で示すように、制御装置１１０は、本体部１１１と取付部１１２とで電子ペーパー１２０の端部を挟持することによって、電子ペーパー１２０を装着し、また、この挟持状態を解除することによって、電子ペーパー１２０を取り外し、着脱可能としている。
【００５８】
次に、本実施の形態にかかる情報処理装置１００の電子ペーパー１２０および制御装置１１０の内部構成について説明する。図３は、本実施の形態にかかる情報処理装置１００の電子ペーパー１２０および制御装置１１０の構成を示すブロック図である。
【００５９】
電子ペーパー１２０は、利用者が湾曲させることによる操作を受け付けるとともに、表示対象データを表示するものであり、表示部３２１と、箔状圧電センサ３２２と、出力部３２３とを主に備えている。
【００６０】
表示部３２１は、後述する記憶部３１１に保存されている表示対象データを表示及び消去を行うものであり、湾曲可能な素材で形成されている。また、表示部３２１は、電気泳動式のマイクロカプセルの表示層、または二色に塗り分けた固体粒子を利用しているジリコンビーズの表示層と、いずれかの表示層を制御するドライバ層が２枚のプラスチックシートで挟まれた構造となっているため、電源を切断しても表示部３２１の表示画面は、表示された状態を維持する。
【００６１】
箔状圧電センサ３２２は、窒化アルミニウム箔膜によって、利用者の操作により湾曲された表示部３２１の歪みを検出するものである。なお、本実施の形態では、歪み検出センサとして箔状圧電センサ３２２を用いているが、これに限定されるものではなく、表示部３２１の歪みを検出可能なセンサであれば、いずれも用いることができる。
【００６２】
具体的には、箔状圧電センサ３２２に圧力が作用すると窒化アルミニウム薄膜の圧電性により、その両面に形成された電極に電荷が誘起される。箔状圧電センサ３２２は、３枚の電極と２層の窒化アルミニウム薄膜層が交互に積層したラミネート構造になっており、内側の１枚の内部電極は外側の２枚の外部電極によって、外部環境から完全に遮蔽される。このため、発生電荷の外部へのリーク（漏電）の防止と誘電電荷の抑制に効果があり、人体のような導体と直接接触しても正確な発生電荷の検出が可能である。さらに、電極および基板となるアルミニウム箔と窒化アルミニウム薄膜は、非常に強く密着し、基板の変形による膜のはがれ、破損が発生しない。したがって、箔状圧電センサ３２２は、薄く、かつ柔軟で曲面や生体表面への適用も可能である。
【００６３】
また、箔状電圧センサ３２２は、表示部３２１の歪みを検出して、歪み量を検出信号として送出する。検出信号は、箔状圧電センサ３２２で歪みを検出した場合における発生電荷による電流値を示す信号である。この検出信号は、正負の電流値をとり、検出信号が正の電流値である場合には、電子ペーパー１２０が利用者に対して凸状に湾曲されたことを示し、負の電流値である場合には、電子ペーパー１２０が利用者に対して凹状に湾曲されたことを示す。また、検出信号の電流値の量は歪み量を示し、電流値が大きければ大きいほど歪み量が大きいことを示している。
【００６４】
出力部３２３は、箔状圧電センサ３２２によって検出された表示部３２１の歪み量を検知信号として、制御装置１１０に送出するものである。具体的には、箔状圧電センサ３２２によって電子ペーパー１２０が利用者に対して凸状に湾曲されたことにより歪みを検出した場合は、正の歪み量を検知信号として、制御装置１１０に送出し、箔状圧電センサ３２２によって電子ペーパー１２０が利用者に対して凹状に湾曲されたことにより歪みを検出した場合は、負の歪み量を検知信号として、制御装置１１０に送出する。
【００６５】
ここで、電子ペーパー１２０の構成を説明する。図４は、電子ペーパー１２０の構成の一例を示した説明図である。図４に示すように、表示部３２１と外装カバー４２３の間に、表示部３２１と同面積の箔状圧電センサ３２２が挟み込まれて、一体となって構成されている。
【００６６】
制御装置１１０は、電子ペーパー１２０の画面に表示されている表示対象データの表示倍率の変更等の制御を行うものであり、記憶部３１１と、制御部３１２と、表示制御部３１３とを主に備えている。
【００６７】
記憶部３１１は、電子ペーパー１２０に表示される画像データ等の表示対象データを保存するためのメモリなどの記録媒体である。
【００６８】
制御部３１２は、利用者の操作によって電子ペーパー１２０が湾曲された場合、箔状圧電センサ３２２によって検知された表示部３２１の歪みが、利用者に向かって凸状に湾曲されたことによって検出された場合に、表示対象データを電子ペーパー１２０の表示部３２１に表示する際に、表示内容を拡大して表示する旨を決定する制御を行う。また、制御部３１２は、箔状圧電センサ３２２によって検知された表示部３２１の歪みが、利用者に向かって凹状に湾曲されたことによって検出された場合に、表示対象データを電子ペーパー１２０の表示部３２１に表示する際に、表示内容を縮小して表示する旨を決定する制御を行う。
【００６９】
また、制御部３１２は、利用者に向かって凸状に湾曲（第１の方向の湾曲）された表示部３２１の歪み量に対応して、拡大する表示倍率を決定し、利用者に向かって凹状に湾曲（第２の方向の湾曲）された表示部３２１の歪み量に対応して、縮小する表示倍率を決定する制御を行う。また、歪み量（電流値）は、歪み量が大きくなるに従って、表示倍率が大きくなるように予め表示倍率と対応付けられており、歪み量と表示倍率の対応関係は、記憶部３１１に保持されている。
【００７０】
表示制御部３１３は、表示部３２１の歪み量から、制御部３１２により決定された表示倍率で、表示対象データを表示部３２１に表示する際に、表示内容を拡大したりまたは縮小したりする制御を行うものである。
【００７１】
次に、以上のように構成された本実施の形態にかかる情報処理装置１００における表示部３２１の歪みによる表示対象データの表示倍率変更処理について説明する。図５は、情報処理装置１００における表示部３２１の歪みによる表示対象データの表示倍率変更処理の手順を示すフローチャートである。
【００７２】
まず、利用者によって、電子ペーパー１２０を湾曲することによる操作が行われる。箔状圧電センサ３２２は、利用者の操作による表示部３２１の歪みを検出し（ステップＳ５０１）、出力部３２３は、箔状圧電センサ３２２によって検出した歪み量を検出信号として制御部３１２に送出する（ステップＳ５０２）。
【００７３】
次に、制御部３１２は、出力部３２３から送出された検出信号を受信する（ステップＳ５０３）。そして、制御部３１２は、受信した検出信号が、表示部３２１を凸状に湾曲されたことにより検出されたものであるか、凹状に湾曲されたことにより検出されたものであるかを、検出信号が示す電流値の正負により判断する（ステップＳ５０４）。
【００７４】
ここで、表示部３２１を凸状に湾曲された場合について説明する。図６は、利用者の操作により電子ペーパー１２０を凸状に湾曲された場合の一例を示す説明図である。図６に示すように、利用者が情報処理装置１００の左右の端部を両手で保持している状態から、電子ペーパー１２０を利用者に向かって凸状に湾曲させた場合が、湾曲方向として凸状に湾曲された場合であり、表示部３２１に表示されている表示対象データの表示内容が拡大される。
【００７５】
また、表示部３２１を凹状に湾曲された場合について説明する。図７は、利用者の操作により電子ペーパー１２０を凹状に湾曲された場合の一例を示す説明図である。図７に示すように、利用者が情報処理装置１００の左右の端部を両手で保持している状態から、電子ペーパー１２０を利用者に向かって凹状に湾曲させた場合が、湾曲方向として凹状に湾曲された場合であり、表示部３２１に表示されている表示対象データの表示内容が縮小される。
【００７６】
このように、受信した検出信号が、表示部３２１が凸状に湾曲されたことにより検出されたものであると判断した場合（ステップＳ５０４：凸状）、制御部３１２は、検出された電流値が示す歪み量から、それに対応する拡大率を決定する（ステップＳ５０５）。そして、表示制御部３１３は、制御部３１２によって決定された拡大率で、表示部３２１に表示されている表示対象データの表示内容を拡大して表示する（ステップＳ５０６）。
【００７７】
一方、受信した検出信号が、表示部３２１が凹状に湾曲されたことにより検出されたものであると判断した場合（ステップＳ５０４：凹状）、制御部３１２は、検出された電流値が示す歪み量から、それに対応する縮小率を決定する（ステップＳ５０７）。そして、表示制御部３１３は、制御部３１２によって決定された縮小率で、表示部３２１に表示されている表示対象データの表示内容を縮小して表示する（ステップＳ５０８）。
【００７８】
このように、第１の実施の形態にかかる情報処理装置１００は、制御部３１２によって、箔状圧電センサ３２２により検出された歪みが、表示部３２１を凸状に湾曲されることによって検出された場合に、表示対象データの表示内容を拡大して表示する決定を行い、表示部３２１を凹状に湾曲されることによって検出された場合に、表示対象データの表示内容を縮小して表示する決定を行う。従って、電子ペーパー１２０を湾曲させる作業のみで歪み量、および湾曲方向に基づく検知信号を制御装置に送出することができる。そして、その検知信号より表示対象データの表示内容の拡大縮小を決定でき、表示部３２１にメニューを表示しなくてもよいため、コマンドによる操作を覚える必要がなく、視覚と触覚で湾曲量を判断でき、操作感が向上するとともに、簡易な操作が可能になる。また、情報処理装置１００を保持したままの自然な状態で、素早く簡単に表示対象データの拡大縮小操作が行える。また、メニューを表示するエリア及び操作のための他の装置が不要なので、その分の画面情報を多く表示部３２１に表示できるとともに、両手で情報処理装置１００を保持した姿勢のままで操作が行える。さらに、ＧＵＩでの画面を凝視する視覚依存の操作から開放され、目のストレスを緩和できる。また、操作にかかわる釦数を減少させることができ、費用を軽減できる。
【００７９】
（第１の実施の形態の変形例１）
第１の実施の形態にかかる情報処理装置における箔状圧電センサは、表示部と同面積で設けられているが、表示部に十字形状で設けてもよい。
【００８０】
図８は、箔状圧電センサ３２２を表示部３２１に十字形状に設けた一例を示す模式図である。図８に示すように、箔状圧電センサ３２２は、表示部３２１の中心を通って、帯状に設けられている。
【００８１】
このように、第１の実施の形態の変形例１にかかる情報処理装置１００は、箔状圧電センサ３２２が表示部３２１に十字形状で設けることによって、箔状圧電センサ３２２の面積を減少できるため、箔状圧電センサ３２２に掛かる費用を軽減できる。
【００８２】
（第１の実施の形態の変形例２）
第１の実施の形態にかかる情報処理装置における箔状圧電センサは、表示部と同面積で設けられているが、表示部の対角線に帯状で設けてもよい。
【００８３】
図９は、箔状圧電センサ３２２を表示部３２１の対角線に帯状で設けた一例を示す模式図である。図９に示すように、箔状圧電センサ３２２は、表示部３２１の対角線に帯状で設けられている。
【００８４】
このように、第１の実施の形態の変形例２にかかる情報処理装置１００は、箔状圧電センサ３２２が表示部３２１の対角線に帯状で設けることによって、箔状圧電センサ３２２の面積を減少できるため、箔状圧電センサ３２２に掛かる費用を軽減できる。
【００８５】
（第１の実施の形態の変形例３）
第１の実施の形態にかかる情報処理装置における箔状圧電センサは、表示部と同面積で設けられているが、表示部の外周縁部に帯状で設けてもよい。
【００８６】
図１０は、箔状圧電センサ３２２を表示部３２１の外周縁部に帯状で設けた一例を示す模式図である。図１０に示すように、箔状圧電センサ３２２は、表示部３２１の外周縁部に帯状で設けられている。
【００８７】
このように、第１の実施の形態の変形例３にかかる情報処理装置１００は、箔状圧電センサ３２２が表示部３２１の外周縁部に帯状で設けることによって、箔状圧電センサ３２２の面積を減少できるため、箔状圧電センサ３２２に掛かる費用を軽減できる。
【００８８】
（第１の実施の形態の変形例４）
第１の実施の形態にかかる情報処理装置における箔状圧電センサは、表示部と同面積で設けられているが、表示部の角部に設けてもよい。
【００８９】
図１１は、箔状圧電センサ３２２を表示部３２１の角部に設けた一例を示す模式図である。図１１に示すように、箔状圧電センサ３２２は、表示部３２１の角部に２箇所設けられている。図１２は、表示部３２１の角部に箔状圧電センサ３２２が設けられた電子ペーパー１２０の操作方法の一例を示す説明図である。図１２に示すように、角部を片手で挟み、紙媒体のページを捲るように角部を湾曲させることによって、操作可能となっている。
【００９０】
このように、第１の実施の形態の変形例４にかかる情報処理装置１００は、箔状圧電センサ３２２が表示部３２１の角部に設けることによって、箔状圧電センサ３２２の面積を減少できるため、箔状圧電センサ３２２に掛かる費用を軽減できる。また、角部を片手で湾曲させることのみで操作が行えるため、より簡易な操作が可能になる。
【００９１】
（第２の実施の形態）
第１の実施の形態にかかる情報処理装置は、電子ペーパーに設けられた箔状圧電センサによって、表示部の歪みを検出して、その歪みから表示倍率を決定するものであったが、第２の実施の形態にかかる情報処理装置では、第１の実施の形態の情報処理装置における処理方法に加えて、制御装置に加速度を検出するセンサを設けることによって、制御装置の振動を検出して、その加速度から表示倍率を決定するものである。
【００９２】
なお、本実施の形態にかかる情報処理装置についても、第１の実施の形態にかかる情報処理装置と同様に、図１、図２に示すように、電子ペーパーおよび制御装置によって構成されている。
【００９３】
次に、本実施の形態にかかる情報処理装置２００の電子ペーパー１２０および制御装置１３０の内部構成について説明する。図１３は、本実施の形態にかかる情報処理装置２００の電子ペーパー１２０および制御装置１３０の構成を示すブロック図である。
【００９４】
ここで、電子ペーパー１２０の構成及び機能は、第１の実施の形態と同様であるので、説明を省略する。
【００９５】
制御装置１３０は、電子ペーパー１２０の画面に表示されている表示対象データの表示倍率の変更等の制御を行うものであり、記憶部３１１と、制御部１３２と、表示制御部１３３と、加速度センサ１３４とを主に備えている。
【００９６】
ここで、記憶部３１１の構成及び機能は、第１の実施の形態と同様であるので、説明を省略する。
【００９７】
加速度センサ１３４は、利用者の操作により、情報処理装置２００を振って振動させることによって、制御装置１３０の振動による加速度を検出するものである。
【００９８】
制御部１３２は、利用者の操作によって電子ペーパー１２０が湾曲された場合、箔状圧電センサ３２２によって検知された表示部３２１の歪みが、利用者に向かって凸状に湾曲されたことによって検出された場合に、表示対象データを電子ペーパー１２０の表示部３２１に表示する際に、表示内容を拡大して表示する旨を決定する制御を行う。また、制御部３１２は、箔状圧電センサ３２２によって検知された表示部３２１の歪みが、利用者に向かって凹状に湾曲されたことによって検出された場合に、表示対象データを電子ペーパー１２０の表示部３２１に表示する際に、表示内容を縮小して表示する旨を決定する制御を行う。
【００９９】
また、制御部１３２は、利用者に向かって凸状に湾曲（第１の方向の湾曲）された表示部３２１の歪み量に対応して、拡大する表示倍率を決定し、利用者に向かって凹状に湾曲（第２の方向の湾曲）された表示部３２１の歪み量に対応して、縮小する表示倍率を決定する制御を行う。
【０１００】
さらに、制御部１３２は、利用者の操作によって情報処理装置２００を振動された場合、加速度センサ１３４によって検知された制御装置１３０の加速度に対応して、表示対象データを電子ペーパー１２０の表示部３２１に表示する際に、表示内容を拡大する表示倍率を決定する制御を行うものである。ここで、加速度は、加速度が大きくなるに従って、表示倍率が大きくなるように予め表示倍率と対応付けられており、加速度と表示倍率の対応関係は、記憶部３１１に保持されている。
【０１０１】
表示制御部３１３は、表示部３２１の歪み量から、制御部１３２により決定された表示倍率で、表示対象データを表示部３２１に表示する際に、表示内容を拡大したり、または縮小したりする制御を行うものである。また、表示制御部３１３は、制御装置１３０の加速度から、制御部１３２により決定された表示倍率で、表示対象データを表示部３２１に表示する際に、表示内容を拡大する制御を行うものである。
【０１０２】
次に、以上のように構成された本実施の形態にかかる制御装置１３０の加速度による表示対象データの表示倍率変更処理について説明する。図１４は、制御装置１３０の加速度による表示対象データの表示倍率変更処理の手順を示すフローチャートである。
【０１０３】
まず、利用者によって、情報処理装置２００を振動させることによる操作が行われる。ここで、情報処理装置２００を振動させることによる操作方法について説明する。図１５は、情報処理装置２００を振動させることによる操作方法の一例を示す説明図である。図１５に示すように、利用者は、制御装置１３０を片手に保持している状態で、図１５の矢印の方向に往復させることによって、情報処理装置２００を振動させて、操作を行う。
【０１０４】
次に、加速度センサ１３４は、利用者の操作による制御装置１３０の加速度を検出して（ステップＳ１４０１）、加速度の値を検出信号として制御部１３２に送出する。
【０１０５】
次に、制御部１３２は、加速度センサ１３４から送出された加速度の検出信号を受信する（ステップＳ１４０２）。そして、制御部１３２は、受信した加速度の検出信号が、予め設定された一定値を超えているか否かの判断をする（ステップＳ１４０３）。受信した加速度の検出信号が、予め設定された一定値を超えていないと判断した場合（ステップＳ１４０３：Ｎｏ）、再度、利用者の操作による加速度を検知するまで待機する。
【０１０６】
一方、受信した加速度の検出信号が、で予め設定された一定値を超えていると判断した場合（ステップＳ１４０３：Ｙｅｓ）、制御部１３２は、検出された加速度から、それに対応する拡大率を決定する（ステップＳ１４０４）。そして、表示制御部１３３は、制御部１３２によって決定された拡大率で、表示部３２１に表示されている表示対象データの表示内容を拡大して表示する（ステップＳ１４０５）。
【０１０７】
このように、第２の実施の形態にかかる情報処理装置２００は、加速度センサ１３４によって、情報処理装置２００を振動させることによる加速度を検出し、制御部１３２によって、加速度から表示部３２１に表示されている表示対象データの表示倍率を決定し、表示制御部１３３によって、制御部１３２によって決定された表示倍率で、表示対象データを、表示部３２１に拡大して表示する制御を行う。従って、情報処理装置２００を振動させる行為のみで拡大する表示倍率を決定でき、表示部３２１にメニューを表示しなくてもよいため、コマンドによる操作を覚える必要がなく、簡易な操作が可能になる。
【０１０８】
なお、第２の実施の形態では、検出された加速度から、表示対象データの表示内容を拡大する表示倍率を決定するものであるが、検出された加速度から、表示対象データの表示内容を縮小する表示倍率を決定するよう設定された構成にしてもよい。
【０１０９】
（第３の実施の形態）
第１の実施の形態にかかる情報処理装置は、電子ペーパーに設けられた箔状圧電センサによって、表示部の歪みを検出して、その歪みから表示倍率を決定するものであったが、第３の実施の形態にかかる情報処理装置では、電子ペーパーに設けられた箔状圧電センサによって、表示部の歪みを検出して、その歪みから表示部に表示されている表示対象データの内容を切り替えるものである。
【０１１０】
なお、本実施の形態にかかる情報処理装置についても、第１の実施の形態にかかる情報処理装置と同様に、図１、図２に示すように、電子ペーパーおよび制御装置によって構成されている。
【０１１１】
次に、本実施の形態にかかる情報処理装置の電子ペーパーおよび制御装置の内部構成について説明する。本実施の形態にかかる情報処理装置は、第１の実施の形態にかかる情報処理装置の構成と同様であるので、図３を参照して説明する。
【０１１２】
ここで、電子ペーパー１２０と、制御装置１１０における記憶部３１１の構成及び機能は、第１の実施の形態と同様であるので、説明を省略する。
【０１１３】
制御部３１２は、利用者の操作によって電子ペーパー１２０が湾曲された場合、箔状圧電センサ３２２によって検知された表示部３２１の歪みが、利用者に向かって凸状に湾曲されたことによって検出された場合に、電子ペーパー１２０における表示部３２１に表示されている表示対象データの内容を進行させて表示する動作を決定する制御を行う。また、制御部３１２は、箔状圧電センサ３２２によって検知された表示部３２１の歪みが、利用者に向かって凹状に湾曲されたことによって検出された場合に、電子ペーパー１２０における表示部３２１に表示されている表示対象データの内容を退行させて表示する動作を決定する制御を行う。即ち、箔状圧電センサ３２２からの検出信号は、第１の実施の形態と同様であり、正の電流値の場合には進行表示、負の電流値の場合には退行表示と決定する。
【０１１４】
また、制御部３１２は、利用者に向かって凸状に湾曲（第１の方向の湾曲）された表示部３２１の歪み量（電流値の大きさ）に対応して、進行させるページ送り量を決定し、利用者に向かって凹状に湾曲（第２の方向の湾曲）された表示部３２１の歪み量（電流値の大きさ）に対応して、退行させるページ戻し量を決定する制御を行う。また、ここで、１ページは、電子ペーパー１２０の画面に表示される表示対象データのデータ単位である。更に、歪み量（電流値）は、歪み量が大きくなるに従って、ページ送り量、ページ戻し量が大きくなるように予めページ送り量、ページ戻し量と対応付けられており、歪み量とページ送り量、ページ戻し量の対応関係は、記憶部３１１に保持されている。
【０１１５】
表示制御部３１３は、表示部３２１の歪み量から、制御部３１２により決定されたページ送り量またはページ戻し量で、記憶部３１１に保存されている表示対象データから、表示部３２１に表示する表示対象データの内容を進行または退行させて表示する制御を行うものである。
【０１１６】
次に、以上のように構成された本実施の形態にかかる情報処理装置１００における表示部３２１の歪みによる表示対象データを進行または退行させる内容切替処理について説明する。図１６は、情報処理装置１００における表示部３２１の歪みによる表示対象データの内容切替処理の手順を示すフローチャートである。
【０１１７】
まず、利用者によって、電子ペーパー１２０を湾曲することによる操作が行われる。箔状圧電センサ３２２は、利用者の操作による表示部３２１の歪みを検出して（ステップＳ１６０１）、出力部３２３は、箔状圧電センサ３２２によって検出した歪み量を検出信号として制御部３１２に送出する（ステップＳ１６０２）。
【０１１８】
次に、制御部３１２は、出力部３２３から送出された検出信号を受信する（ステップＳ１６０３）。そして、制御部３１２は、受信した検出信号が、表示部３２１を凸状に湾曲されたことにより検出されたものであるか、凹状に湾曲されたことにより検出されたものであるかを判断する（ステップＳ１６０４）。
【０１１９】
ここで、表示部３２１を凸状に湾曲された場合、凹状に湾曲された場合については、第１の実施の形態と同様であるので説明を省略する。
【０１２０】
次に、受信した検出信号が、表示部３２１を凸状に湾曲されたことにより検出されたものであると判断した場合（ステップＳ１６０４：凸状）、制御部３１２は、検出された歪み量から、それに対応するページ送り量を決定する（ステップＳ１６０５）。そして、表示制御部３１３は、制御部３１２によって決定されたページ送り量で、表示部３２１に表示されている表示対象データを進行させて表示する（ステップＳ１６０６）。
【０１２１】
一方、受信した検出信号が、表示部３２１を凹状に湾曲させたことにより検出されたものであると判断した場合（ステップＳ１６０４：凹状）、制御部３１２は、検出された歪み量から、それに対応するページ戻し量を決定する（ステップＳ１６０７）。そして、表示制御部３１３は、制御部３１２によって決定されたページ戻し量で、表示部３２１に表示されている表示対象データを退行させて表示する（ステップＳ１６０８）。
【０１２２】
このように、第３の実施の形態では、制御部３１２によって、箔状圧電センサ３２２により検出された歪みが、表示部３２１を凸状に湾曲されることによって検出された場合に、表示対象データの内容を進行させて表示する動作を決定し、表示部３２１を凹状に湾曲されることによって検出された場合に、表示対象データの内容を退行させて表示する動作を決定する。従って、電子ペーパー１２０を湾曲させる作業のみで表示対象データの内容の進行または退行の決定ができ、表示部３２１にメニューを表示しなくてもよいため、コマンドによる操作を覚える必要がなく、簡易な操作が可能になる。
【０１２３】
（第４の実施の形態）
第１の実施の形態にかかる情報処理装置は、電子ペーパーに設けられた箔状圧電センサによって、表示部の歪みを検出して、その歪みから表示倍率を決定するものであったが、第４の実施の形態にかかる情報処理装置では、制御装置に設けられた圧力センサによって、表示部の圧力を検出して、その圧力から表示倍率を決定するものである。
【０１２４】
なお、本実施の形態にかかる情報処理装置についても、第１の実施の形態にかかる情報処理装置と同様に、図１、図２に示すように、電子ペーパーおよび制御装置によって構成されている。
【０１２５】
まず、制御装置１９０と電子ペーパー１８０の取り付け、及び圧力センサについて説明する。図１７は、本実施の形態にかかる制御装置１９０と電子ペーパー１８０の取り付け前の状態を示す説明図である。また、図１８は、本実施の形態にかかる制御装置１９０と電子ペーパー１８０の取り付け後の状態を示す説明図である。
【０１２６】
図１７に示すように、制御装置１９０側では、取付部１１２が本体部１１１側を軸にして回動することによって、取り付け部分が開放されている。そして、取り付け部分が開放されている本体部１１１側には、電子ペーパー１８０を挟持するための突起部１７２が３箇所設けられており、この突起部１７２が後述する圧力センサの機能を兼備している。また、電子ペーパー１８０側では、突起部１７２が係合する孔部１７１が同じく３箇所設けられている。なお、本実施の形態においては、突起部１７２および孔部１７１は、３箇所設けられているが、この他１箇所、２箇所、４箇所、６箇所、２６箇所、または３０箇所等、日本ファイル・バインダー協会（File & Binder Association Japan）の定めるＦＢＡ規格等に対応する個数を設けても良い。
【０１２７】
図１８に示すように、電子ペーパー１８０における孔部１７１を、制御装置１９０における突起部１７２に係合させることによって、制御装置１９０に電子ペーパー１８０を取り付ける。そして、取付部１１２を上記同様に回動させることによって、取り付け部分を閉鎖させることにより、取り付けが完了する。
【０１２８】
次に、利用者の操作による圧力の検出について説明する。利用者が電子ペーパー１８０を制御装置１９０と反対方向に伸張させることによって、即ち、電子ペーパー１８０を外側（Ａ方向）に引っ張ることによって、突起部１７２にα方向の圧力が作用し、突起部１７２である圧力センサがその圧力を検出する。また、利用者が電子ペーパー１８０を制御装置１９０の方向に圧縮させることによって、即ち、電子ペーパー１８０を内側（Ｂ方向）に押し込むことによって、突起部１７２にβ方向の圧力が作用し、突起部１７２である圧力センサがその圧力を検出する。
【０１２９】
次に、本実施の形態にかかる情報処理装置４００の電子ペーパー１８０および制御装置１９０の内部構成について説明する。図１９は、本実施の形態にかかる情報処理装置４００の電子ペーパー１８０および制御装置１９０の構成を示すブロック図である。
【０１３０】
電子ペーパー１８０は、利用者により引っ張り力または圧縮力を加えることによって操作を受け付けるとともに、表示対象データを表示するものであり、表示部３２１と、を主に備えている。
【０１３１】
表示部３２１は、後述する記憶部３１１に保存されている表示対象データを表示するものである。
【０１３２】
制御装置１９０は、電子ペーパー１８０の画面に表示されている表示対象データの表示倍率の変更等の制御を行うものであり、記憶部３１１と、制御部１９２と、表示制御部１９３と、圧力センサ１７２とを主に備えている。
【０１３３】
ここで、記憶部３１１の構成及び機能は、第１の実施の形態と同様であるので、説明を省略する。
【０１３４】
圧力センサ１７２は、上述した突起部１７２であり、利用者の操作により電子ペーパー１８０を伸縮されることによって圧力を検出し、圧力の方向を正負とし、圧力値を電圧値とした検出信号を送出する。
【０１３５】
制御部１９２は、圧力センサ１７２によって検出された圧力が、電子ペーパー１８０が制御装置１９０と反対方向（α方向）に伸張されることによって検出された場合に、圧力値（電圧値）に対応して、表示対象データを表示部３２１に表示する際に、表示内容を拡大する表示倍率を決定する制御を行うものである。また、電子ペーパー１８０が制御装置１９０の方向（β方向）に圧縮されることによって検出された場合に、圧力値（電圧値）に対応して、表示対象データを表示部３２１に表示する際に、表示内容を縮小する表示倍率を決定する制御を行う。ここで、電圧値は、電圧値が大きくなるに従って、表示倍率が大きくなるように予め表示倍率と対応付けられており、電圧値と表示倍率の対応関係は、記憶部３１１に保持されている。
【０１３６】
表示制御部１９３は、圧力センサ１７２によって検出された圧力値から、制御部１９２により決定された表示倍率で、表示対象データを表示部３２１に表示する際に、表示内容を拡大したり、または縮小したりする制御を行うものである。
【０１３７】
次に、以上のように構成された本実施の形態にかかる情報処理装置４００における電子ペーパー１８０からの圧力による表示対象データの表示倍率変更処理について説明する。図２０は、情報処理装置４００における電子ペーパー１８０からの圧力による表示対象データの表示倍率変更処理の手順を示すフローチャートである。
【０１３８】
まず、利用者によって、電子ペーパー１２０を伸縮することによる操作が行われる。圧力センサ１７２は、利用者の操作による電子ペーパー１８０からの圧力を検出して（ステップＳ２００１）、検出信号として制御部１９２に送出する。
【０１３９】
次に、制御部１９２は、圧力センサ１７２から送出された圧力の検出信号を受信する（ステップＳ２００２）。そして、制御部１９２は、受信した圧力の検出信号が、電子ペーパー１８０からの引っ張り力によるものであるか、圧縮力によるものであるかを判断する（ステップＳ２００３）。
【０１４０】
次に、受信した圧力の検出信号が、電子ペーパー１８０からの引っ張り力により検出されたものであると判断した場合（ステップＳ２００３：引っ張り）、制御部１９２は、検出された圧力から、それに対応する拡大率を決定する（ステップＳ２００４）。そして、表示制御部１９３は、制御部１９２によって決定された拡大率で、表示部３２１に表示されている表示対象データの表示内容を拡大して表示する（ステップＳ２００５）。
【０１４１】
一方、受信した圧力の検出信号が、電子ペーパー１８０からの圧縮力により検出されたものであると判断した場合（ステップＳ２００３：圧縮）、制御部１９２は、検出された圧力から、それに対応する縮小率を決定する（ステップＳ２００６）。そして、表示制御部１９３は、制御部１９２によって決定された縮小率で、表示部３２１に表示されている表示対象データの表示内容を拡大して表示する（ステップＳ２００７）。
【０１４２】
このように、第４の実施の形態では、制御部１９２によって、圧力センサ１７２により検出された圧力が、電子ペーパー１８０が制御装置１９０と反対方向に伸張されることによって検出された場合に、表示部３２１に表示されている表示対象データの表示内容を拡大して表示する決定を行い、電子ペーパー１８０が制御装置１９０の方向に圧縮されることによって検出された場合に、表示部３２１に表示されている表示対象データの表示内容を縮小して表示する決定を行う。従って、電子ペーパー１８０を伸縮させる作業のみで表示対象データの表示内容の拡大縮小を決定でき、表示部３２１にメニューを表示しなくてもよいため、コマンドによる操作を覚える必要がなく、簡易な操作が可能になる。
【０１４３】
（第１〜３の実施の形態の変形例）
第１〜３の実施の形態にかかる情報処理装置では、電子ペーパーは制御装置から着脱可能な構成となっているが、これに限定されるものではなく、電子ペーパーと制御装置とを一体形成した電子ペーパーとして構成してもよい。この場合には、電子ペーパーは、表示部と、箔状圧電センサと、制御部と、表示制御部とを備えた構成とする。
【０１４４】
箔状圧電センサは、窒化アルミニウム箔膜によって、利用者の操作により湾曲された表示部の歪みを検出し、検出した歪み量を検出信号として、制御部に送出する。
【０１４５】
制御部は、第１〜３の実施の形態の構成及び機能と同様であるが、箔状圧電センサから送出された検知信号を受信するようになっている。その他の構成及び機能は、第１〜３の実施の形態と同様であるので、説明を省略する。
【０１４６】
このように、第１〜３の実施の形態の変形例にかかる電子ペーパーは、箔状圧電センサによって、湾曲された表示部の歪みを検出し、制御部によって、箔状圧電センサにより検出された歪みに基づいて、表示対象データの表示動作を決定し、表示制御部によって、制御手段により決定された表示動作で、表示対象データを、表示部に表示する制御を行う。従って、電子ペーパーを湾曲させる作業のみで歪み量、および湾曲方向に基づく検知信号を制御部に送出することができる。そして、その検知信号より表示対象データの表示動作を決定でき、表示部にメニューを表示しなくてもよいため、コマンドによる操作を覚える必要がなく、視覚と触覚で湾曲量を判断でき、操作感が向上するとともに、簡易な操作が可能になる。また、メニューを表示するエリア及び操作のための他の装置が不要なので、その分の画面情報を多く表示部に表示できるとともに、両手で電子ペーパーを保持した姿勢のままで素早く簡単に操作が行える。さらに、ＧＵＩでの画面を凝視する視覚依存の操作から開放され、目のストレスを緩和できる。また、操作にかかわる釦数を減少させることができ、費用を軽減できる。
【０１４７】
なお、第１〜４の実施の形態の情報処理装置で実行される表示制御プログラムは、ＲＯＭ等に予め組み込まれて提供される。第１〜４の実施の形態の情報処理装置で実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１４８】
さらに、第１〜４の実施の形態の情報処理装置で実行される表示制御プログラムを、インターネット等のネットワークに接続されたコンピュータ上に格納し、ネットワーク経由でダウンロードさせることにより提供するように構成しても良い。また、第１〜４の実施の形態の情報処理装置で実行される表示制御プログラムをインターネット等のネットワーク経由で提供または配布するように構成しても良い。
【０１４９】
第１〜４の実施の形態の情報処理装置で実行される表示制御プログラムは、上述した各部（制御部、表示制御部）を含むモジュール構成となっており、実際のハードウェアとしてはＣＰＵ（プロセッサ）が上記ＲＯＭから表示制御プログラムを読み出して実行することにより上記各部が主記憶装置上にロードされ、制御部、表示制御部が主記憶装置上に生成されるようになっている。
【図面の簡単な説明】
【０１５０】
【図１】第１の実施の形態にかかる情報処理装置１００の構成を示す模式図である。
【図２】図１の状態における本実施の形態にかかる情報処理装置１００の側面図である。
【図３】本実施の形態にかかる情報処理装置１００の電子ペーパー１２０および制御装置１１０の構成を示すブロック図である。
【図４】電子ペーパー１２０の構成の一例を示した説明図である。
【図５】情報処理装置１００における表示部３２１の歪みによる表示対象データの表示倍率変更処理の手順を示すフローチャートである。
【図６】利用者の操作により電子ペーパー１２０を凸状に湾曲された場合の一例を示す説明図である。
【図７】利用者の操作により電子ペーパー１２０を凹状に湾曲された場合の一例を示す説明図である。
【図８】箔状圧電センサ３２２を表示部３２１に十字形状に設けた一例を示す模式図である。
【図９】箔状圧電センサ３２２を表示部３２１の対角線に帯状で設けた一例を示す模式図である。
【図１０】箔状圧電センサ３２２を表示部３２１の外周縁部に帯状で設けた一例を示す模式図である。
【図１１】箔状圧電センサ３２２を表示部３２１の角部に設けた一例を示す模式図である。
【図１２】表示部３２１の角部に箔状圧電センサ３２２が設けられた電子ペーパー１２０の操作方法の一例を示す説明図である。
【図１３】本実施の形態にかかる情報処理装置２００の電子ペーパー１２０および制御装置１３０の構成を示すブロック図である。
【図１４】制御装置１３０の加速度による表示対象データの表示倍率変更処理の手順を示すフローチャートである。
【図１５】情報処理装置２００を振動させることによる操作方法の一例を示す説明図である。
【図１６】情報処理装置１００における表示部３２１の歪みによる表示対象データの内容切替処理の手順を示すフローチャートである。
【図１７】本実施の形態にかかる制御装置１９０と電子ペーパー１８０の取り付け前の状態を示す説明図である。
【図１８】本実施の形態にかかる制御装置１９０と電子ペーパー１８０の取り付け後の状態を示す説明図である。
【図１９】本実施の形態にかかる情報処理装置４００の電子ペーパー１８０および制御装置１９０の構成を示すブロック図である。
【図２０】情報処理装置４００における電子ペーパー１８０からの圧力による表示対象データの表示倍率変更処理の手順を示すフローチャートである。
【符号の説明】
【０１５１】
１００，２００，４００  情報処理装置
１１０，１３０，１９０  制御装置
１１１  本体部
１１２  取付部
１２０，１８０  電子ペーパー
３１１  記憶部
３１２，１３２，１９２  制御部
３１３，１３３，１９３  表示制御部
３２１  表示部
３２２  箔状圧電センサ
３２３  出力部
４２３  外装カバー
１３４  加速度センサ
１７１  孔部
１７２  突起部  圧力センサ
【図１】
0004739858.tif 000002
【図２】
0004739858.tif 000003
【図３】
0004739858.tif 000004
【図４】
0004739858.tif 000005
【図５】
0004739858.tif 000006
【図６】
0004739858.tif 000007
【図７】
0004739858.tif 000008
【図８】
0004739858.tif 000009
【図９】
0004739858.tif 000010
【図１０】
0004739858.tif 000011
【図１１】
0004739858.tif 000012
【図１２】
0004739858.tif 000013
【図１３】
0004739858.tif 000014
【図１４】
0004739858.tif 000015
【図１５】
0004739858.tif 000016
【図１６】
0004739858.tif 000017
【図１７】
0004739858.tif 000018
【図１８】
0004739858.tif 000019
【図１９】
0004739858.tif 000020
【図２０】
0004739858.tif 000021